(57)【特許請求の範囲】
【請求項１】
床スラブの上面に防音機能を有する筒状の外側壁を直接固定し、
その外側壁の内側に位置するように、床スラブの上面にクッション材を介して、内側壁となる遮音ボックスを構築し、
前記外側壁と前記遮音ボックスとの間に吸振手段を介在させ、
前記外側壁及び前記内側壁に、それぞれ出入り口用の開口枠を形成し、
前記内側壁の開口枠は、前記外側壁の開口枠の内側に位置するように配置し、
前記外側壁の開口枠と同じ形状の第１の補強枠を、前記外側壁の室外側に設け、
前記内側壁の開口枠と同じ形状の第２の補強枠を、前記外側壁の室外側で、前記第１の補強枠の枠内に設け、
前記内側壁の開口枠及び前記第２の補強枠の内側に、前記内側壁及び前記外側壁を貫通するドアフレームを設け、
前記内側壁の開口枠及び前記第２の補強枠と、前記ドアフレームとの間に吸振手段を設け、
前記ドアフレームにはドアを取り付けることを特徴とする防音室構造。
【請求項２】
前記外側壁と前記遮音ボックスとの間に介在する前記吸振手段は、前記外側壁の枠と前記内側壁の枠との間に介在されていることを特徴とする請求項１に記載の防音室構造。
【請求項３】
前記外側壁と前記遮音ボックスとの間に介在する前記吸振手段は、前記遮音ボックスの天井と、上層階の床スラブとの間に介在されていることを特徴とする請求項１又は２に記載の防音室構造。
【請求項４】
前記外側壁及び内側壁にそれぞれ窓枠用の開口枠を形成し、それらの開口枠間に吸振手段を設けたことを特徴とする請求項１〜３のうちのいずれか一項に記載の防音室構造。
【発明の詳細な説明】
【技術分野】
【０００１】
本発明は、例えば、楽器演奏の騒音やダンスによって生じる振動を吸収することができる防音室構造に関する。
【背景技術】
【０００２】
従来、この種の技術として、特許文献１に開示されたものが提案されている。この防音室構造は、図１１に示すように、鉄筋コンクリートにより建物の躯体６０が構成されている。この躯体６０の床６１の上面にクッション材６２を介して床パネル６３が配設されている。該床パネル６３上に四角筒状の壁パネル６４が立て付けられ、該壁パネル６４の上端部に天井パネル６５が組み付けられることによって遮音ボックス６６が形成されている。ドア６７を取り付ける壁パネル６４の開口部６４ａには、枠板６８が取り付けられている。前記開口部６４ａに臨む躯体壁６９の開口部６９ａには、化粧枠７０が取り付けられている。又、前記枠板６８と化粧枠７０との隙間にクッション材７１が介在され、枠板６８と化粧枠７０の内周面には、クッションシート等の化粧材７２が貼着されている。
【先行技術文献】
【特許文献】
【０００３】
【特許文献１】特開平６‐３０６９６５号公報
【発明の概要】
【発明が解決しようとする課題】
【０００４】
ところが、特許文献１の構成においては、鉄筋コンクリートの躯体６０が防音室の外殻を構成している。従って、遮音ボックス６６を躯体６０の壁から離れたところに設置することができず、レイアウト上の制約を受けるという問題がある。又、特許文献１の構成においては、例えば、枠板６８と化粧枠７０の間にクッション材７１を介在させてはいるが、防音室全体が躯体６０に支持されているため、音響等の振動が躯体６０を介して建物全体に伝播するおそれもある。
【０００５】
また、鉄骨躯体に外壁パネル等を取り付けた鉄骨構造の建物の場合には、鉄筋コンクリートの躯体壁のような防音室として利用できる躯体壁が存在しないため、二重構造の防音室の設置は困難であるという問題がある。
【０００６】
本発明の第１の目的は、上記従来の技術に存する問題点を解消して、建物の躯体構造に関わらず、遮音ボックスのレイアウト上の自由度を向上することができる防音室構造を提供することにある。本発明の第２の目的は、防音室の吸振機能を向上することができる防音室構造を提供することにある。
【課題を解決するための手段】
【０００７】
上記問題点を解決するために、請求項１に記載の発明は、床スラブの上面に防音機能を有する筒状の外側壁を直接固定し、その外側壁の内側に位置するように、床スラブの上面にクッション材を介して、内側壁となる遮音ボックスを構築し、前記外側壁と前記遮音ボックスとの間に吸振手段を介在させ、前記外側壁及び前記内側壁に、それぞれ出入り口用の開口枠を形成し、前記内側壁の開口枠は、前記外側壁の開口枠の内側に位置するように配置し、前記外側壁の開口枠と同じ形状の第１の補強枠を、前記外側壁の室外側に設け、前記内側壁の開口枠と同じ形状の第２の補強枠を、前記外側壁の室外側で、前記第１の補強枠の枠内に設け、前記内側壁の開口枠及び前記第２の補強枠の内側に、前記内側壁及び前記外側壁を貫通するドアフレームを設け、前記内側壁の開口枠及び前記第２の補強枠と、前記ドアフレームとの間に吸振手段を設け、前記ドアフレームにはドアを取り付けることを要旨とする。
【０００８】
請求項２に記載の発明は、請求項１に記載の防音室構造において、前記外側壁と前記遮音ボックスとの間に介在する前記吸振手段は、前記外側壁の枠と前記内側壁の枠との間に介在されていることを要旨とする。
【０００９】
請求項３に記載の発明は、請求項１又は２に記載の防音室構造において、前記外側壁と前記遮音ボックスとの間に介在する前記吸振手段は、前記遮音ボックスの天井と、上層階の床スラブとの間に介在されていることを要旨とする。
【００１１】
請求項４に記載の発明は、請求項１〜３のうちのいずれか一項において、前記外側壁及び内側壁にそれぞれ窓枠用の開口枠を形成し、それらの開口枠間に吸振手段を設けたことを要旨とする。
【００１２】
（作用）
請求項１〜４のいずれか１項に記載の発明は、外側壁が建物の躯体に関係なく構築されるので、外側壁及びその内部の遮音ボックスの形状及びレイアウトの自由度が向上する。
【００１３】
請求項２に記載の発明は、前記外側壁と遮音ボックスとの間の吸振手段が、前記外側壁の枠と前記遮音ボックスを構成する内側壁の枠との間に介在されているので、吸振手段の設置数、剛性及び設置位置の自由度が向上し、優れた吸振作用を得ることができる。
【発明の効果】
【００１４】
本発明は、外側壁及び遮音ボックスを躯体に拘束されることなく配置できるため、レイアウト上の自由度を向上することができる。
【図面の簡単な説明】
【００１５】
【図１】（ａ）はこの発明の防音室構造を具体化した一実施形態を示す外側壁の略体縦断面図、（ｂ）は遮音ボックスの略体縦断面図。
【図２】この発明の防音室構造を具体化した一実施形態を示す縦断面図。
【図３】防音室構造の平断面図。
【図４】ドアフレームの上方の部分拡大縦断面図。
【図５】開口枠の骨組を示す正面図。
【図６】（ａ）は（ｂ）におけるａ−ａ線断面図、（ｂ）は図６（ａ）の平断面図、（ｃ）は上層階スラブと遮音ボックスの内側壁の縦材との間に用いられる吸振部材の拡大縦断面図。
【図７】防音室構造の部分縦断面図。
【図８】窓の開口枠を示す正面図。
【図９】この発明の防音室構造の別の実施形態を示す縦断面図。
【図１０】（ａ）（ｂ）は、この発明の防音室構造の別の実施形態を示す要部の略体縦断面図。
【図１１】従来の防音室構造を示す縦断面図。
【発明を実施するための形態】
【００１６】
以下、本発明を具体化した一実施形態を図１〜図８に従って説明する。
最初に、図１に基づいて、本実施形態の概略構成について説明する。
図１（ａ）に示すように、建物の防音室が設置される床スラブ１１の上面と、上層階の床スラブ（以下、上層階スラブという）１３の下面との間には、防音機能を有する四角筒状の外側壁１２が設置されている。前記外側壁１２の図示右側の一側壁には、外側開口枠２１が設けられている。
【００１７】
前記外側壁１２の内側には、図１（ｂ）に示すように、天井１７を有する四角箱状の遮音ボックス１８が設置されている。この遮音ボックス１８の図示右側の一側壁には前記外側開口枠２１と対応するように内側開口枠２２が設けられている。該内側開口枠２２の内側にはドアフレーム２３が設置され、該ドアフレーム２３にドア２４が開閉可能に装着されている。前記床スラブ１１の上面に形成された収容凹所１１ａの内底面には、クッション材１４を介して、前記遮音ボックス１８の床を構成する床コンクリート１５が敷設されている。従って、遮音ボックス１８はクッション材１４上に置かれている。
【００１８】
次に、前記外側壁１２及び遮音ボックス１８の構成について詳細に説明する。
図２及び図３に示すように、前記外側壁１２は、角パイプよりなる複数本の縦材３５Ａ及び横材３６Ａを縦横に連結して構築された骨組体３７Ａと、該骨組体３７Ａの縦材３５Ａ及び横材３６Ａの間の空間に収容された例えばグラスウールよりなる吸音材３８Ａと、前記骨組体３７Ａの外側面に接合された壁板３９Ａとによって構成されている。
【００１９】
図４及び図５に示すように、前記外側壁１２の外側開口枠２１は、床スラブ１１と上層階スラブ１３との間に固定された縦材３５Ａと、両縦材３５Ａ間に架設固定された横材３６Ａとを有している。外側開口枠２１には剛性を高めるために、室外側に位置する補強枠４１が固定されている。該補強枠４１は、連結材４１Ａを介して前記横材３６Ａに連結された横材４１Ｂと、前記横材４１Ｂに上端において連結された縦材４１Ｃとによって構成されている。この縦材４１Ｃの下端は床スラブ１１に固定されている。
【００２０】
図２及び図３に示すように、前記遮音ボックス１８の壁（以下、内側壁という）１６は、前記外側壁１２と同様に角パイプよりなる複数本の縦材３５Ｂ及び横材３６Ｂを縦横に連結して構築された骨組体３７Ｂと、該骨組体３７Ｂの縦材３５Ｂ及び横材３６Ｂの間の空間に収容された例えばグラスウールよりなる吸音材３８Ｂとを備えている。又、内側壁１６は、骨組体３７Ｂの室内側に位置する内側板３７Ｃと、その内側板３７Ｃの室内側に設けられ、室内壁を構成する壁板３９Ｂとを備えている。前記内側壁１６の上部は天井１７を構成し、その室内側の面には化粧板４７が設けられている。
【００２１】
前記内側壁１６の内側開口枠２２は、図４及び図５に示すように床コンクリート１５上に立設された二本の縦材３５Ｂと、両縦材３５Ｂの間に架設固定された横材３６Ｂとを有している。両縦材３５Ｂの上端は上層階スラブ１３の下面から離間している。内側開口枠２２には、剛性を高めるために、室外側に位置する補強枠４２が固定されている。該補強枠４２は、連結材４２Ａを介して横材３６Ｂに連結された横材４２Ｂと、前記横材４２Ｂに上端において連結された縦材４２Ｃとによって構成されている。縦材４２Ｃの下端は床コンクリート１５上に固定されている。
【００２２】
図２及び図４に示すように、前記天井１７は、内側開口枠２２の縦材３５Ｂの上端部の側面と図２の左側の縦材３５Ｂの上端との間に架橋連結された複数本の角パイプよりなる水平枠４６と、各水平枠４６の間の空間に収容された例えばグラスウールよりなる吸音材３８Ｄとを備えている。
【００２３】
図４及び図５に示すように、ドアフレーム２３の上部及び両側と、前記内側開口枠２２との間の隙間には、例えばゴム材よりなる吸振材３８Ｃが介在されている。図４に示すように、前記内側開口枠２２の外側面には、前記壁板３９Ａと上下及び両側の隙間をおいて門形の壁板３９Ｃが接合されている。壁板３９Ａと壁板３９Ｃとの間の隙間を閉鎖するように、両板３９Ａ，３９Ｃ間にはゴム製の弾性材よりなる吸振材４５が介在されている。そして、前記吸振材３８Ｃ，４５により縦方向及び横方向の振動が吸収される。
【００２４】
図３及び図５に示すように、前記内側開口枠２２内の一側には、窓フレーム２５が装着され、該窓フレーム２５には窓ガラス２６が装着されている。窓フレーム２５の外周と内側開口枠２２の内周との間には、ゴム製の弾性材よりなる吸振材３８Ｃが介在されている。
【００２５】
前記外側壁１２の図３の上側位置には、外側窓開口枠２９が装着されている。内側壁１６の前記外側窓開口枠２９と対向する部分には、内側窓開口枠３０が装着されている。前記外側窓開口枠２９及び内側窓開口枠３０には、四角筒状の窓枠３１が装着され、該窓枠３１には窓ガラス３２が嵌合固定されている。窓枠３１の外周と内側窓開口枠３０の内周との間には、ゴム製の弾性材よりなる吸振材３８Ｃが介在されている。
【００２６】
図３〜図８において後述するように、前記外側壁１２と内側壁１６との間及び上層階スラブ１３と内側壁１６との間には、遮音ボックス１８の音響を含む主として横方向の振動を吸収するための吸振部材１９が複数箇所に介在されている。前記上層階スラブ１３と天井１７との間にも、遮音ボックス１８の主として縦方向の振動を吸収するための吸振部材２０が複数箇所に介在されている。
【００２７】
図５に示すように、外側開口枠２１の両側の縦材３５Ａの上下２位置と、内側開口枠２２の縦材３５Ｂとの間には吸振部材１９が介装されている。すなわち、図４の中間高さ位置及び図６（ａ）（ｂ）に示すように、前記吸振部材１９は、前記外側壁１２を構成する縦材３５Ａにブラケット４８を介して取り付けられ、かつ孔４９ａを有するゴムよりなる円筒状の弾性材４９と、内側壁１６を構成する縦材３５Ｂの側面にブラケット５０を介して固定され、かつ前記弾性材４９の孔４９ａに上下方向に移動可能に挿入された昇降ロッド５１とにより構成されている。図４の上部，図５の上部及び図６（ｃ）に示すように、別の前記吸振部材１９は、弾性材４９のブラケット４８が内側壁１６の縦材３５Ｂに取り付けられるとともに、昇降ロッド５１のブラケット５０が上層階スラブ１３に固定されている。従って、この吸振部材１９は前記上層階スラブ１３と内側壁１６の縦材３５Ｂとの間に介装されている。
【００２８】
図４に示すように、前記外側壁１２を構成する縦材３５Ａの上部には板材５５が取り付けられ、該板材５５と対応するように、前記天井１７の水平枠４６には、ブラケット５６を介してゴム材よりなる吸振材３８Ｅが取り付けられ、該吸振材３８Ｅが前記板材５５に接触されている。従って、吸振材３８Ｅは遮音ボックス１８の主として横方向の振動を吸収する。
【００２９】
図７及び図８に示すように、前記上層階スラブ１３と内側窓開口枠３０の両側を構成する縦材３５Ｂの上端部との間には、図４の上端部に示す吸振部材１９と同様に吸振部材１９が装着されている。前記外側壁１２の縦材３５Ａと内側窓開口枠３０の縦材３５Ａ，３５Ｂ間の上下２位置には、図４の上下中間部に示す吸振部材１９と同様に吸振部材１９が装着されている。
【００３０】
図４に示すように、前記吸振部材２０は、前記上層階スラブ１３にボルトによって取り付けられたホルダ５２と、前記天井１７の水平枠４６に固定されたロッド５４と、ホルダ５２とロッド５４との間に介在されたゴム製の弾性材５３とによって構成されている。そして、この吸振部材２０は、遮音ボックス１８の主として縦方向の振動を吸収する。
【００３１】
さて、前記遮音ボックス１８の内部において例えば音楽をかけながらダンスされることによって、床コンクリート１５及び遮音ボックス１８に振動が付与されると、その縦方向及び横方向の振動が、床のクッション材１４によって吸収されるとともに、吸振部材１９及び吸振部材２０，あるいは吸振材３８Ｃ，４５によって吸収される。従って、本実施形態においては、吸振部材１９，２０，吸振材３８Ｃ，４５によって吸振手段が構成されている。
【００３２】
又、前記外側壁１２及び内側壁１６には、吸音材３８Ａ，３８Ｂが設けられ、ドアフレーム２３と内側開口枠２２の間には、吸振材３８Ｃが設けられ、天井１７には吸音材３８Ｄが設けられている。このため、例えば、室内においてバンド演奏等が行われた場合に、楽器から発せられる音響が吸音材によって吸収され、吸音機能が適切に発揮される。
【００３３】
そして、上記実施形態によれば、以下のような効果を得ることができる。
（１）上記実施形態では、床スラブ１１の上面に外側壁１２を構築し、該外側壁１２の内部に、遮音ボックス１８が内外二重壁構造となるように収容されている。このため、外側壁１２及び遮音ボックス１８を、鉄筋コンクリート構造の躯体や、鉄骨構造の躯体と無関係に構築することができる。従って、鉄筋コンクリート構造、鉄骨構造等、各種の建物において、外側壁１２及び遮音ボックス１８の形状や建物内におけるレイアウトをそれぞれ自由に設定することができる。さらには、前記ドア２４やそのドア２４と対応した廊下等のレイアウトも自在になる。
【００３４】
（２）上記実施形態では、遮音ボックス１８が吸音材３８Ｂを有する内側壁１６によって構成されるとともに、その遮音ボックス１８が吸音材３８Ａを有する外側壁１２によって包囲され、二重遮音構造となっている。このため、一重の遮音構造の遮音ボックスと比較して、遮音機能を向上することができ、遮音ボックス１８内の音は外部に殆ど漏洩せず、高い遮音効果を得ることができる。
【００３５】
（３）上記実施形態では、床スラブ１１の上面にクッション材１４を設け、クッション材１４と上層階スラブ１３との間に、部屋を構成する遮音ボックス１８をクッション材１４による浮上状態で装設し、外側壁１２と、遮音ボックス１８の内側壁１６との間に複数の吸振部材１９を介在した。又、上層階スラブ１３と、天井１７との間に複数の吸振部材２０を介在した。このため、クッション材１４及び吸振部材１９，２０により遮音ボックス１８の振動を有効に吸収することができる。従って、建物全体に振動が伝播するようなことを有効に防止できる。
【００３６】
（４）上記実施形態では、遮音ボックス１８内の振動が、遮音ボックス１８，外側壁１２及び建物の壁で遮られるため、言い換えれば、３重のバリアで遮られるため、建物外への音響を含む振動の漏洩を適切に防止できる。
【００３７】
（５）上記実施形態では、吸振部材１９が高剛性を有する門構え状の外側開口枠２１と内側開口枠２２との間に設けられているため、吸振部材１９は要求性能通りの性能を発揮し高い吸振効果を得ることができる。同様に、吸振部材１９が四角枠状の外側窓開口枠２９と内側窓開口枠３０との間に設けられているため、この吸振部材１９も要求性能通りの性能を発揮し高い吸振効果を得ることができる。
【００３８】
（６）上記実施形態では、内側開口枠２２とドアフレーム２３との隙間、外側開口枠２１と遮音ボックス１８の水平枠４６との間に吸振材３８Ｃ，３８Ｅがそれぞれ設けられているため、この吸振材３８Ｃ，３８Ｅにおいても遮音ボックス１８の吸振作用を得ることができる。
【００３９】
（７）上記実施形態では、前記外側及び内側開口枠２１，２２に補強枠４１，４２を設けて、両枠２１，２２の室内外方向の厚さ寸法を大きくしたので、外側及び内側開口枠２１，２２の機械的強度を向上することができるとともに、ドアフレーム２３の室内外方向の幅寸法を増大させることができて、ドアフレーム２３の剛性を向上することができる。
【００４０】
（８）上記実施形態では、外側壁１２と内側壁１６とが平行をなすと共に、外側開口枠２１及び内側開口枠２２をそれぞれ平行にして上下に重ねた。このため、余分なスペースが生じることを防止できて、高いスペース効率を得ることができる。
【００４１】
（９）上記実施形態では、外側開口枠２１及び内側開口枠２２を門構え状にして重ねているため、両枠２１，２２を頑丈にできる。
なお、上記実施形態は以下のように変更して具体化することができる。
【００４２】
・図９に示すように、外側壁１２の上端縁を前記上層階スラブ１３の下面から離隔させるとともに、前記吸振部材２０を省略し、外側壁１２の上端に遮音ボックス１８の天井１７と同様に吸音材３８Ｄを有する天井１７Ａを構築し、該天井１７Ａの上面に外板５７を装着してもよい。
【００４３】
この場合には、外側壁１２と上層階スラブ１３との接合が無くなるため、上層階スラブ１３に制約されることなく、二重構造の遮音室を構築することができ、外側壁１２、内側壁１６及び天井１７Ａの形状及びレイアウトの自由度がさらに向上する。言い換えれば、遮音ボックス１８の形状及びレイアウトの自由度がさらに向上する。
【００４４】
・図１０（ａ）に示すように、外側壁１２側の補強枠４１を省略して、内側壁１６側の補強枠４２の室外側への張り出し量を前記実施形態の補強枠４２よりも短くしてもよい。あるいは、図１０（ｂ）に示すように、外側壁１２側及び内側壁１６側の補強枠４１，４２をともに省略してもよい。これらの場合には、外側及び内側開口枠２１，２２を薄くすることができる。
【００４５】
・前記吸振部材１９を前記横材３６Ａ，４１Ｂと横材３６Ｂ，４２Ｂとの間に介在させてもよい。
・前記実施形態では、外側壁１２及び内側壁１６を四角筒状に構成したが、三角筒状、円筒状、五〜八角筒状に構成してもよい。
【００４６】
・前記吸振部材１９，２０等の弾性材４９，５３等を、ゴムに替えて、例えばコイルばね、板ばね等を用いてもよい。
【符号の説明】
【００４７】
１１，１３…床スラブ、１２…外側壁、１４，４５…クッション材、１６…内側壁、１７，１７Ａ…天井、１８…遮音ボックス、１９，２０…吸振部材、２１，２２…枠、３７Ａ，３７Ｂ…骨組体。
【図１】
0005749453.tif 000002
【図２】
0005749453.tif 000003
【図３】
0005749453.tif 000004
【図４】
0005749453.tif 000005
【図５】
0005749453.tif 000006
【図６】
0005749453.tif 000007
【図７】
0005749453.tif 000008
【図８】
0005749453.tif 000009
【図９】
0005749453.tif 000010
【図１０】
0005749453.tif 000011
【図１１】
0005749453.tif 000012